(57)【要約】【課題】混合弁が故障している場合、給湯待機中に混合弁の異常検知ができる給湯機を提供すること。【解決手段】湯と水を混合する混合弁１と、前記混合弁１を駆動する駆動手段２と、前記駆動手段２に直列に接続された駆動電流検出手段３と、前記駆動手段２を制御し前記駆動電流検出手段３の電流値を検出する制御部４とから構成される給湯機の制御装置において、前記制御部４は、給湯待機時に前記駆動手段２を制御し、同時に前記駆動電流検出手段３の電流値を検出し、前記電流値が所定範囲外であれば異常と判定する構成とする。【選択図】図１
2013120043.tif 000002
【特許請求の範囲】
【請求項１】
湯と水を混合する混合弁と、前記混合弁を駆動する駆動手段と、前記駆動手段に直列に接続された駆動電流検出手段と、前記駆動手段を制御し前記駆動電流検出手段の電流値を検出する制御部とから構成される給湯機の制御装置において、前記制御部は、給湯待機時に前記駆動手段を制御し、同時に前記駆動電流検出手段の電流値を検出し、前記電流値が所定範囲外であれば異常と判定することを特徴とする給湯機の制御装置。
【請求項２】
前記制御部は、給湯待機時における前記電流値の検出と異常判定を１日の特定の時間に行うことを特徴とする請求項１に記載の給湯機の制御装置。
【請求項３】
前記混合弁はステッピングモータで構成され、前記制御部は、給湯待機時に前記駆動手段を制御する際、ステッピングモータの１相毎に通電し前記駆動電流検出手段の電流値を検出することを特徴とする請求項１または２に記載の給湯機の制御装置。
【発明の詳細な説明】
【技術分野】
【０００１】
本発明は給湯機の制御装置に関するものである。
【背景技術】
【０００２】
近年、ヒートポンプ給湯機等では高性能化され、機器内で湯と水を混合しリモコン等で設定された温度のお湯を給湯し、カランやシャワーで水と混合せずにそのまま使用できるようにしている。さらに、給湯経路を２経路設け、給湯と風呂湯張りを同時に別々の温度設定で出湯させるものも知られている（例えば、特許文献１参照）。
【先行技術文献】
【特許文献】
【０００３】
【特許文献１】特開２００４−１５０７９６号公報
【発明の概要】
【発明が解決しようとする課題】
【０００４】
前記従来の構成では、混合弁が故障した場合、湯と水が適切な設定温度に混合されず、冷水や高温水が出湯される。それを防ぐため温度の異常を温度センサーで検出し、異常を報知するようにしている。
【０００５】
しかしながら、混合弁が故障していても温度センサーの応答性の遅れ等で、ある程度出湯するまで異常がわからないため、多少は冷水や高温水を浴びてしまうことになる。
【０００６】
本発明は、前記従来の課題を解決するもので、混合弁が故障したことを給湯待機中に検出し事前に報知することのできる給湯機の制御装置を提供することを目的とする。
【課題を解決するための手段】
【０００７】
前記従来の課題を解決するために、本発明の給湯機の制御装置は、湯と水を混合する混合弁と、前記混合弁を駆動する駆動手段と、前記駆動手段に直列に接続された駆動電流検出手段と、前記駆動手段を制御し前記駆動電流検出手段の電流値を検出する制御部とから構成される給湯機の制御装置において、前記制御部は、給湯待機時に前記駆動手段を制御し、同時に前記駆動電流検出手段の電流値を検出し、前記電流値が所定範囲外であれば異常と判定することにより、混合弁の故障時には給湯前に異常を検出し故障であることを知らせることができる。
【発明の効果】
【０００８】
本発明の給湯機の制御装置は、給湯待機中に駆動電流検出手段の電流値で混合弁の異常を判定することができ、給湯前に故障であることを報知し、冷水や高温水を浴びることがないので、快適な給湯機を提供することができる。
【図面の簡単な説明】
【０００９】
【図１】本発明の実施の形態１における給湯機の制御装置の構成図
【図２】本発明の実施の形態１における給湯機の制御装置のタイミングチャート
【発明を実施するための形態】
【００１０】
第１の発明は、湯と水を混合する混合弁と、前記混合弁を駆動する駆動手段と、前記駆動手段に直列に接続された駆動電流検出手段と、前記駆動手段を制御し前記駆動電流検出手段の電流値を検出する制御部とから構成される給湯機の制御装置において、前記制御部
は、給湯待機時に前記駆動手段を制御し、同時に前記駆動電流検出手段の電流値を検出し、前記電流値が所定範囲外であれば異常と判定することにより、混合弁の故障時には給湯前に異常を検出し故障であることを知らせることができる。
【００１１】
第２の発明は、特に、第１の発明の給湯機の制御装置において、前記制御部は、給湯待機時における前記電流値の検出と異常判定を１日の特定の時間に行うことで、検出回数を減らすことができ、無駄な電力を極力減らし、混合弁の耐久性に影響を与えない範囲で検出動作をすることができる。
【００１２】
第３の発明は、特に、第１または第２の発明の給湯機の制御装置において、前記混合弁はステッピングモータで構成され、前記制御部は、給湯待機時に前記駆動手段を制御する際、ステッピングモータの１相毎に通電し前記駆動電流検出手段の電流値を検出することで、混合弁は回転せず現在の開度を保ったまま検出でき、検出中に動作した分を元に戻す等の煩雑な制御が不要となる。また、１相毎に検出できるので電流値を精度よく検出できるため誤検知等を防ぐことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における給湯機の制御装置の構成図である。
【００１５】
図１において、混合弁１と、混合弁１を駆動する駆動手段２と、駆動手段２に直列に接続された駆動電流検出手段３と、駆動手段２を制御し駆動電流検出手段３の電流値を検出する制御部４とにより、給湯機の制御装置を構成している。
【００１６】
以上のように構成された給湯機の制御装置について、以下その動作、作用を説明する。
【００１７】
混合弁１は４相のステッピングモータで構成され、給湯時には、制御部４から２相励磁等の信号を駆動手段２に送り、混合弁１を駆動し湯と水を混合して設定温度の給湯を行う。
【００１８】
次に、異常検出時の制御部４の動作を説明する。図２は本発明の実施の形態１における給湯機の制御装置のフローチャートである。
【００１９】
ステップ１では、規定の時刻を判断し規定の時刻で無ければスタートに戻り、規定の時刻であればステップ２へ進む。ステップ２では給湯待機中かどうかを判定し給湯待機中で無ければスタートに戻り、給湯待機中であればステップ３へ進む。ステップ３では、駆動手段２の１相に信号を送り、混合弁１の１相に通電し、ステップ４へ進む。ステップ４では、１相の電流値が所定の範囲外かどうかを判断し、所定範囲内であればステップ５へ進み、範囲外であればステップ１２へ進む。ステップ５では駆動手段２の２相に通電し、１相は通電停止にして、ステップ６へ進む。ステップ６では、２相の電流値が所定の範囲外かどうかを判断し、所定範囲内であればステップ７へ進み、範囲外であればステップ１２へ進む。以下ステップ７からステップ１１まで同様にして各相に通電を行い、各相の電流値を検出して、各相の電流値が所定の範囲外であればステップ１２へ進む。ステップ１２では混合弁１の全相を停止し、混合弁１の異常を報知する。
【００２０】
以上のように、混合弁１の１相から４相の電流値が所定の範囲外である場合には、異常を検出し故障であることを知らせることができる。
【産業上の利用可能性】
【００２１】
以上のように、本発明にかかる給湯機の制御装置は、混合弁の駆動手段に駆動電流検出手段を設け、混合弁が故障の場合には、給湯待機中に混合弁の電流検出を行い異常検知ができるので、電気、ガス、石油式等の給湯機、燃料電池など様々な給湯方式の用途にも適用できる。
【符号の説明】
【００２２】
１  混合弁
２  駆動手段
３  駆動電流検出手段
４  制御部
【図１】
2013120043.tif 000003
【図２】
2013120043.tif 000004